【手続補正書】
【提出日】平成16年12月28日(2004.12.28)
【手続補正１】
【補正対象書類名】特許請求の範囲
【補正対象項目名】全文
【補正方法】変更
【補正の内容】
【特許請求の範囲】
【請求項１】
ポリマー幹中のアミン基と、溶解または分散された金属塩とを含む、共有結合により架橋されたポリマー電解質。
【請求項２】
前記電解質が、約25〜約2000ミクロン、約50〜約1500ミクロン、または約100〜約1000ミクロンの厚さの連続フィルムである、請求項１に記載のポリマー電解質。
【請求項３】
前記電解質が、約20℃〜約100℃の範囲の温度において、少なくとも約10-5S/cm、約10-4S/cm、または約10-3S/cmの比伝導率を有する、請求項１または２に記載のポリマー電解質。
【請求項４】
前記電解質が、約40℃〜約60℃の範囲の温度において、少なくとも約10-5S/cm、約10-4S/cm、または約10-3S/cmの比伝導率を有する、請求項３に記載のポリマー電解質。
【請求項５】
前記ポリマーが、線状または分岐で置換または未置換であるポリ(アルキルアミン)を含む、請求項１〜４のいずれかに記載のポリマー電解質。
【請求項６】
ポリマーが分岐している請求項５に記載のポリマー電解質。
【請求項７】
ポリマーが線状である請求項６に記載のポリマー電解質。
【請求項８】
ポリマーが、置換または未置換のポリ(エチレンイミン)及び置換または未置換のポリ(プロピレンイミン)から選択される、請求項５、６または７に記載のポリマー電解質。
【請求項９】
ポリマーが分岐ポリ(エチレンイミン)である請求項８に記載のポリマー電解質。
【請求項１０】
ポリマー幹が、式：
【化１】
2004525204.tif 000001
（式中、Nは窒素であり、場合により置換基R1または共有結合性クロスリンカーＬに付着し；R1は、これに共有結合する窒素原子を含有するポリマー幹以外のポリマー幹に対して共有結合を有しない置換基であり、そして水素、置換または未置換のヒドロカルビル、及び、置換または未置換のヘテロヒドロカルビルからなる群から独立して選択され；Ｌは、これが結合するポリマー鎖を別のポリマー鎖に接続する共有結合性クロスリンカーであり；Ｘは、置換または未置換のヒドロカルビレン、及び、置換または未置換のヘテロヒドロカルビレンからなる群から独立して選択され；ｎは１または２である）
により表される繰り返し単位を含む、請求項１〜９のいずれかに記載のポリマー電解質。
【請求項１１】
前記ポリマーがコポリマーである、請求項１〜１０のいずれかに記載のポリマー電解質。
【請求項１２】
前記コポリマーが、請求項１０に定義される２つ以上の繰り返し単位を含む幹を有し、但しＸは前記繰り返し単位のそれぞれで異なっている、請求項１１に記載のポリマー電解質。
【請求項１３】
Ｘが、メチレン、エチレン、プロピレン、ブチレン及びペンチレンから選択される、請求項１２に記載のポリマー電解質。
【請求項１４】
Ｘがエチレン及びプロピレンであり、電解質がポリ(エチレンイミン)とポリ(プロピレンイミン)とのコポリマーである、請求項１３に記載のポリマー電解質。
【請求項１５】
前記コポリマーがランダムコポリマーである、請求項１４に記載のポリマー電解質。
【請求項１６】
ポリマーがコポリマーであり、このコポリマー幹は、式：
【化２】
2004525204.tif 000002
（式中、X、N、R1、ｎ及びＬは請求項１０に定義の通りであり、Ｙは、置換または未置換のヒドロカルビレン及び、置換または未置換のヘテロヒドロカルビレンからなる群から独立して選択される）
により表される繰り返し単位を含む、請求項１０に記載のポリマー電解質。
【請求項１７】
前記コポリマーがランダムまたはブロックコポリマーである、請求項１６に記載のポリマー電解質。
【請求項１８】
Ｙが置換または未置換のポリエチレン、ポリプロピレン、ポリ(エチレンオキシド)、ポリ(プロピレンオキシド)、ポリ(エチレンスルフィド)、及びポリ(プロピレンスルフィド)から選択される、請求項１６または１７に記載のポリマー電解質。
【請求項１９】
ポリマーが溶媒で膨潤化された請求項１〜１８のいずれかに記載のポリマー電解質。
【請求項２０】
電解質中の溶媒濃度が、電解質の総重量に対して約50、25、10、５または１重量パーセント未満である、請求項１９に記載のポリマー電解質。
【請求項２１】
膨潤化溶媒が、1,2-ジメトキシエタン、メチルホルメート、ジメチルスルホキシド、スルホラン、メチルピロリジン、ジメチルホルムアミド、ジメチルアセトアミド、グライム、ニトリル類、有機ホスフェート類、有機ホスホルアミド類、カーボネート類、並びにこれらの混合物からなる群から選択される、請求項１９または２０の膨潤化されたポリマー電解質。
【請求項２２】
膨潤化溶媒が、モノグライム、ジグライム、トリグライム、テトラグライム、またはこれらの混合物からなる群から選択されるグライムである、請求項１９または２０に記載の膨潤化されたポリマー電解質。
【請求項２３】
膨潤化溶媒が可塑剤である、請求項１９または２０に記載の膨潤化されたポリマー電解質。
【請求項２４】
膨潤化溶媒が、エステル類、ジエステル類、カーボネート類、ホスフェート類、アクリレート類、ボレート類、スルホラン類、サルフェート類及びグライム類からなる群から選択される、請求項２３に記載の膨潤化されたポリマー電解質。
【請求項２５】
溶媒が2-(2-エトキシエトキシ)エチルアセテートである、請求項２３に記載の膨潤化されたポリマー電解質。
【請求項２６】
溶媒がアジピン酸ジメチルまたはフタル酸ジブチルである、請求項２３に記載の膨潤化されたポリマー電解質。
【請求項２７】
溶媒がプロピレンカーボネートである、請求項２３に記載の膨潤化されたポリマー電解質。
【請求項２８】
前記ポリマーがエラストマーである、請求項１〜２７のいずれかに記載のポリマー電解質。
【請求項２９】
第一のポリマー幹の一つ以上のイミノ基の窒素が、第二のポリマー幹のイミン基に共有結合により架橋している、請求項１〜２８のいずれかに記載の電解質。
【請求項３０】
イミノ基窒素の少なくとも約５重量パーセント、10重量パーセント、15重量パーセント、25重量パーセント、50重量パーセント、または75重量パーセントが共有結合により架橋している、請求項２９に記載の電解質。
【請求項３１】
金属塩が、遷移金属、アルカリ金属、アルカリ土類金属、またはこれらの組合せからなる群から選択される、請求項１〜３０のいずれかに記載の電解質。
【請求項３２】
金属塩が、Ni、Cu、RuまたはAgからなる群から選択される遷移金属塩である、請求項３１に記載の電解質。
【請求項３３】
金属塩が、Li、Na、K、RbまたはCsからなる群から選択されるアルカリ金属塩である、請求項３１に記載の電解質。
【請求項３４】
金属塩が、LiSCN、LiPF6、LiAsF6、LiClO4、LiN(CF3SO2)2、LiBF4、LiCF3SO3、LiSbF6またはこれらの組合せからなる群から選択されるLi金属塩である、請求項３３に記載の電解質。
【請求項３５】
金属塩が、Mg、CaまたはSrからなる群から選択されるアルカリ土類金属塩である、請求項３１に記載の電解質。
【請求項３６】
ポリマーにおける二級窒素原子の三級窒素原子に対する比が、約５：１〜約25：１、または約10：１〜約20：１の範囲にある請求項１〜３５のいずれかに記載の電解質。
【請求項３７】
削除
【請求項３８】
ポリマーにおけるヘテロ原子の金属イオンに対する比が約40：１〜約２：１、約20：１〜約４：１、または約10：１〜約５：１の範囲にある、請求項１〜３７のいずれかに記載の電解質。
【請求項３９】
Ｙが、置換若しくは未置換のエチレン、エチレンオキシドまたはエチレンスルフィドからなる群から選択される、請求項１９に記載の電解質。
【請求項４０】
共有結合により架橋されたポリマー電解質であって、ポリマー幹にアミン基と、それに結合した一つ以上の溶媒部位とを含む、上記のポリマー電解質。
【請求項４１】
ポリマーが、線状または分岐、置換または未置換のポリ(アルキルアミン)を含む、請求項４０に記載の電解質。
【請求項４２】
前記ポリマーがポリ(エチレンイミン)である、請求項４１に記載の電解質。
【請求項４３】
溶媒部位の一つ以上がアミン基窒素に結合する、請求項４３に記載の電解質。
【請求項４４】
前記ポリマーが、式：
【化３】
2004525204.tif 000003
（式中、ｎは１または２であり；R1は(i)これに共有結合した窒素原子を含有する幹以外のポリマー幹に対する共有結合を有さず、そして(ii)グライム、フラン、アミド、アルキルスルホキシド、スルホラン、ニトリルまたはカーボネートから誘導される置換または未置換のヘテロヒドロカルビル残基であり；Ｌは、これと結合するポリマー鎖を別のポリマー鎖に接続する共有結合性クロスリンカーであり；Ｘは置換または未置換のヒドロカルビレン、及び、置換または未置換のヘテロヒドロカルビレンからなる群から独立して選択される）
の繰り返し単位を含む、請求項４３に記載の電解質。
【請求項４５】
R1がテトラヒドロフラン、ジメチルホルムアミド、ジメチルアセトアミド、N-メチルピロリドン、ジメチルスルホキシド、スルホラン、アセトニトリル及びプロピレンカーボネートから誘導される残基である、請求項４４に記載の電解質。
【請求項４６】
R1が式：-O(CH2CH2O)bCH3（式中、ｂは約１〜６の範囲である）をもつヘテロヒドロカルビル残基である、請求項４４に記載の電解質。
【請求項４７】
ポリマーがプロトン性溶媒で膨潤化される請求項４０に記載の電解質。
【請求項４８】
膨潤化溶媒が、水、トリフルオロメタンスルホン酸、酢酸、リン酸、及びこれらの混合物からなる群から選択される、請求項４８に記載の膨潤化電解質。
【請求項４９】
ポリマーが、さらに金属塩を含む、請求項４０に記載の電解質。
【請求項５０】
金属塩が、遷移金属、アルカリ金属、アルカリ土類金属またはこれらの組合せからなる群から選択される、請求項４９に記載の電解質。
【請求項５１】
金属塩が、Ni、Cu、RuまたはAgからなる群から選択される遷移金属塩である、請求項５０に記載の電解質。
【請求項５２】
金属塩が、Li、Na、K、RbまたはCsからなる群から選択されるアルカリ金属塩である、請求項５０に記載の電解質。
【請求項５３】
金属塩が、LiSCN、LiPF6、LiAsF6、LiClO4、LiN(CF3SO2)2、LiBF4、LiCF3SO3、LiSbF6またはこれらの組合せからなる群から選択されるLi金属塩である、請求項５２に記載の電解質。
【請求項５４】
金属塩がアルカリ土類金属塩であり、その金属がMg、CaまたはSrからなる群から選択される、請求項４０に記載の電解質。
【請求項５５】
共有結合により架橋されたポリマー電解質であって、ポリマー幹中のアミン基と、その中の不安定なプロトンとを含む、上記のポリマー電解質。
【請求項５６】
ポリマー幹中のアミン基と不安定プロトンとを含み、プロトン伝導性を有し共有結合により架橋されたポリマー電解質膜と；
膜の第一の側面と接触するアノードと；
第一の側面と反対の、膜の第二の側面と接触するカソードと
を含む燃料電池。
【請求項５７】
ポリマー電解質が線状または分岐ポリ(アルキルアミン)である、請求項５６に記載の燃料電池。
【請求項５８】
ポリマー電解質が分岐ポリ(エチレンイミン)である、請求項５７に記載の燃料電池。
【請求項５９】
負極と、正極と、それらの間に配置され、それらと接触するイオン伝導性のポリマー電解質とを含むバッテリーであって；ポリマー電解質は共有結合により架橋されており、ポリマー幹中のアミノ基と金属塩とを含む；上記のバッテリー。
【請求項６０】
ポリマー電解質が線状または分岐のポリ(アルキルアミン)である、請求項５９に記載のバッテリー。
【請求項６１】
ポリマー電解質が分岐ポリ(エチレンイミン)である、請求項６０に記載のバッテリー。
【請求項６２】
共有結合により架橋されたポリ(アミン) 連続フィルムを含むグラディエントバッテリーであって、ポリマーフィルムは金属イオンと、負極領域と、正極領域と、それの間に配置される電解質領域とを含み、電池の充放電の間、金属イオンまたはプロトンが一方の電極からもう一方の電極へ通過できるようになっている、上記のグラディエントバッテリー。
【請求項６３】
ポリマーフィルムが線状または分岐のポリ(アルキルアミン)である請求項６２に記載のバッテリー。
【請求項６４】
前記ポリマー電解質が、分岐ポリ(エチレンイミン)である、請求項６２に記載のバッテリー。